(57)【要約】  自機の電子機器から出力された伝送信号を正確に判別できるようにする。  送信部７ａは伝送路１側に伝送信号を出力する。第１の切換部Ｑａ１は、高電位側端子Ｐａ１と伝送路１間に接続され、送信部７ａからの伝送信号で供給給電源を切換えて伝送信号を伝送路１に出力する。第２の切換部Ｑａ２は、伝送路１と低電位側端子Ｐａ２との間に接続され、第１の切換部Ｑａ１と同時に切換えて伝送信号を伝送路１から出力する。受信部９ａは伝送路１からの伝送信号を受信する。第１の検出部１３ａは、第１の切換部Ｑａ１を流れる伝送信号を検出する。第２の検出部Ｑａ２は、第２の切換部Ｑａ２を流れる伝送信号を検出する。選択部１５ａは、第１、第２の検出部１３ａ、１９ａの双方にて送信部７ａからの伝送信号が検出されないとき、受信部９ａを選択して受信信号を出力する。【図１】
2010109590.tif 000002
【特許請求の範囲】
【請求項１】
両端に終端抵抗の接続された２線式伝送路側に伝送信号を出力する送信部と、
単位電源部の高電位側と前記伝送路の一方の線路との間に接続された第１の切換部であって、前記送信部からの前記伝送信号で前記単位電源部からの供給電源をオンオフ切換えて前記伝送信号を前記伝送路に対し出力する第１の切換部と、
前記伝送路の他方の線路と前記単位電源部の低電位側との間に接続された第２の切換部であって、前記送信部からの前記伝送信号で前記第１の切換部と同時にオンオフ切換えて前記伝送信号を前記伝送路から出力する第２の切換部と、
前記伝送路から前記伝送信号を受信する受信部と、
前記単位電源部の高電位側と前記伝送路の一方の線路との間に接続され、前記第１の切換部を流れる前記送信部からの前記伝送信号の出力を検出する第１の検出部と、
前記伝送路の他方の線路と前記単位電源部の低電位側との間に接続され、前記第２の切換部を流れる前記送信部からの前記伝送信号の出力を検出する第２の検出部と、
前記第１および第２の検出部の何れにおいても前記送信部からの前記伝送信号の出力が検出されないとき、前記受信部を選択する選択部と、
を具備することを特徴とする入出力信号制御装置。
【請求項２】
前記第１および第２の検出部は、前記単位電源部と前記第１又は第２の切換部との間に直列接続された抵抗を有する請求項１記載の入出力信号制御装置。
【請求項３】
前記第１および第２の検出部は、前記送信部から前記伝送信号が出力される状態の前記第１および第２の検出部の両端電圧であって最も当該両端電圧が高いとき、前記受信部を選択しないよう前記選択部を制御する請求項１又は２記載の入出力信号制御装置。
【請求項４】
前記伝送路は、無線伝送路に接続された有線伝送路である請求項１〜３いずれか１記載の入出力信号制御装置。
【請求項５】
前記単位電源部は、主電源部から延びる主電源ラインからの主電源に基づき電源を供給する請求項１〜４いずれか１記載の入出力信号制御装置。
【請求項６】
前記請求項５記載の複数の入出力信号制御装置が、前記主電源ラインに並列的に接続されてなることを特徴とする入出力信号制御システム。
【請求項７】
複数の前記入出力信号制御装置が、前記主電源ラインに分散して並列的に接続された請求項６記載の入出力信号制御システム。
【発明の詳細な説明】
【技術分野】
【０００１】
本発明は入出力信号制御装置およびこれを用いた入出力信号制御システムに係り、特に双方向伝送路、例えばＣＡＮ（コントローラ・エリア・ネットワーク）バスに接続される電子機器等に搭載して好適する入出力信号制御装置および入出力信号制御システムの改良に関する。
【背景技術】
【０００２】
近年、車両等の電子制御システムにおいては、図６Ａに示すように、両終端を終端抵抗ｒ１、ｒ２で終端した２線式伝送路１を介して電子機器Ａ〜Ｃ間で伝送信号を双方向通信する構成が提案されている。特に、このようなシステムにおける伝送路１はＣＡＮバスと称される。【０００３】
各電子機器Ａ〜Ｃは、他の電子機器Ａ〜Ｃとの間で伝送路１を介して伝送信号を双方向通信するので、例えば図６Ｂに示すように、伝送路１に対して伝送信号を入出力制御する入出力信号制御装置３と、この入出力信号制御装置３に伝送信号を出力するとともに入出力信号制御装置３からの伝送信号に基づき車両の各部を制御処理する機器本体５と、を有している。【０００４】
入出力信号制御装置３は、例えば図７に示すように、図示しない電源部の高電位側に接続された端子Ｐ１に、切換部Ｑ１を形成するＦＥＴトランジスタのソース側を接続し、このトランジスタのドレインを保護ダイオードＤ１を介して伝送路１の一方のライン１ａに順方向接続している。【０００５】
その伝送路１の他方のライン１ｂから、保護ダイオードＤ２を介して切換部Ｑ２を形成するＦＥＴトランジスタのドレインを順方向接続し、このトランジスタのソースを端子Ｐ２から電源部の低電位側に接続している。【０００６】
さらに、機器本体５からの伝送信号を伝送路１側に送信する送信部７を切換部Ｑ１、Ｑ２のゲートに接続し、伝送信号を受信して機器本体５に出力する受信部９を伝送路１に接続した構成を有している。【０００７】
送信部７および受信部９は、端子Ｐ１、Ｐ２から電源部の電源電力によって動作するものである。特に、受信部９は、電子機器Ａ〜Ｃからの伝送信号の出力（「Ｈ」レベル）状態（「ドミナント状態」と称される場合が多い。）および伝送信号の無出力（「Ｌレベル」）状態（「リセッシブ状態」と称される場合が多い。）を、機器本体５へそのまま出力するようになっている。【０００８】
このような入出力信号制御装置３は、機器本体５からの伝送信号が送信部７に入力されると、送信部７が伝送信号に基づき切換部Ｑ１、Ｑ２をオン（ＯＮ）動作させ、電源部からの電源電流が端子Ｐ１、切換部Ｑ１、保護ダイオードＤ１を介して伝送路１側に流れるとともに、伝送路１側から電源電流が保護ダイオードＤ２、切換部Ｑ２、端子Ｐ２に流れ、伝送信号が伝送路１側へ送信され、伝送路１が「ドミナント状態」になる。【０００９】
他方、図７において、他の電子機器Ａ〜Ｃが伝送路１を「ドミナント状態」にすると、伝送路１側から受信部９に伝送信号が入力され、受信部９がその伝送信号を機器本体５へ出力する。【００１０】
ところで、この種の一般的な技術として、例えば特許文献１（特開２００２−１７６４２７号公報）がある。
【特許文献１】特開２００２−１７６４２７号公報
【発明の開示】
【発明が解決しようとする課題】
【００１１】
しかしながら、上述した入出力信号制御装置３では、切換部Ｑ１、Ｑ２がオン（ＯＮ）状態となって伝送路１を「ドミナント状態」にして伝送信号を伝送路１側へ送信すると、送信部７から送信した伝送信号が受信部９にも入力されてしまう。そのため、受信部９で受信された伝送信号が自機の電子機器Ａ〜Ｃからのものか否か判別する必要が生じ、誤動作を防止するために、機器本体５側において特別な構成が要求される。【００１２】
さらにまた、図６に示したように、複数の電子機器Ａ〜Ｃが伝送路１に接続されている場合、それら電子機器Ａ〜Ｃが共通の主電源部（図６では図示省略）からの主電源ラインから電源の供給を受けて動作するが、電源動作中に主電源ラインの内部抵抗に起因する電圧降下による誤動作が発生する可能性もあり、特別な工夫が必要である。【００１３】
本発明はそのような課題を解決するためになされたもので、自機の電子機器側のみからの伝送信号を検出し、当該自機側での誤作動の防止を容易にした入出力信号制御装置およびこれを用いた入出力信号制御システムの提供を目的とする。
【課題を解決するための手段】
【００１４】
そのような課題を解決するために本発明の請求項１に係る入出力信号制御装置は、両端に終端抵抗の接続された２線式伝送路側に伝送信号を出力する送信部と、単位電源部の高電位側と伝送路の一方の線路との間に接続された第１の切換部であって、その送信部からの伝送信号で単位電源部からの供給電源をオンオフ切換えて伝送信号を伝送路に対し出力する第１の切換部と、その伝送路の他方の線路と単位電源部の低電位側との間に接続された第２の切換部であって、その送信部からの伝送信号でその第１の切換部と同時にオンオフ切換えて伝送信号を伝送路から出力する第２の切換部と、その伝送路からの伝送信号を受信する受信部と、その単位電源部の高電位側と伝送路の一方の線路との間に接続され、その第１の切換部を流れる送信部からの伝送信号の出力を検出する第１の検出部と、その伝送路の他方の線路と単位電源部の低電位側との間に接続され、その第２の切換部を流れる送信部からの伝送信号の出力を検出する第２の検出部と、それら第１および第２の検出部の何れにおいても送信部からの伝送信号の出力が検出されないときその受信部を選択する選択部と、を具備している。【００１５】
本発明の請求項２に係る入出力信号制御装置は、上記第１および第２の検出部が、その単位電源部と第１又は第２の切換部との間に直列接続された抵抗を有する構成を有している。【００１６】
本発明の請求項３に係る入出力信号制御装置は、上記第１および第２の検出部が、その送信部から伝送信号が出力される状態のそれら第１および第２の検出部の両端電圧であって最も当該両端電圧が高いとき、その受信部を選択しないようその選択部を制御する構成を有している。【００１７】
本発明の請求項４に係る入出力信号制御装置は、上記伝送路が、無線伝送路に接続された有線伝送路である構成を有している。【００１８】
本発明の請求項５に係る入出力信号制御装置は、上記単位電源部が、主電源部から延びる主電源ラインからの主電源に基づき電源を供給するよう構成されている。【００１９】
本発明の請求項６に係る入出力信号制御システムは、それらの請求項に係る複数の入出力信号制御装置が、上記主電源ラインに並列的に接続された構成を有している。【００２０】
本発明の請求項７に係る入出力信号制御システムは、複数の上記入出力信号制御装置が、その主電源ラインに分散して並列的に接続された構成を有している。
【発明の効果】
【００２１】
このような本発明に係る入出力信号制御装置では、送信部によって第１および第２の切換部をオンオフして伝送信号を伝送路に出力すると、それら第１および第２の切換部を流れる伝送信号出力を第１および第２の検出部が検出するが、これら第１および第２の検出部において伝送信号の出力が検出されないとき、選択部がその受信部を選択して受信信号を出力可能にするから、受信された伝送信号が自機の電子機器のみからのものであれば、それら第１および第２の検出部がそれを検出して選択部が受信信号を出力させず、当該自機側での誤作動を確実に防止する。【００２２】
本発明の入出力信号制御装置では、上記第１および第２の検出部が、その単位電源部と第１、第２の切換部との間に直列接続された抵抗を有する構成では、検出部の構成を簡素化可能である。【００２３】
本発明の入出力信号制御装置において、上記第１および第２の検出部が、その送信部から伝送信号が出力される状態のそれら検出部の両端電圧であって最もその両端電圧が高いとき、その受信部を選択しないよう上記選択部を制御する構成では、自機の電子機器からの伝送信号のより正確な検出が可能である。【００２４】
本発明の入出力信号制御装置において、上記伝送路が無線伝送路に接続された有線伝送路である構成では、その途中に無線伝送路を有する有線伝送路において実施可能である。【００２５】
本発明の入出力信号制御装置において、上記単位電源部が、主電源部からの主電源に基づき電源を供給する構成では、主電源部からの主電源より低い電源で内部動作させることが可能である。【００２６】
本発明に係る入出力信号制御システムにおいて、複数の入出力信号制御装置が主電源ラインに並列的に接続された構成では、無視できない内部抵抗が主電源ラインにあっても、第１又は第２の検出部のみが検出動作して自身のみドミナント状態であると誤検出し易くなる誤作動を、確実に防止することが可能である。【００２７】
本発明に係る入出力信号制御システムにおいて、複数の上記入出力信号制御装置が、その主電源ラインに分散して並列的に接続された構成では、主電源ラインの内部抵抗が大きくなり易いが、当該自機側での誤作動を確実に防止することが可能である。
【発明を実施するための最良の形態】
【００２８】
以下、本発明の実施の形態を図面を参照して説明する。なお、従来例と共通する部分には可能な限り同一の符号を付す。【００２９】
図１は本発明に係る入出力信号制御装置３ａの一形態を示す概略ブロック図であり、上述した図６中の例えば電子機器Ａの入出力信号制御装置３に相当する。【００３０】
図１において、伝送路１は、上述した図６に示したように、２線式の信号ライン１ａ、１ｂであって電子機器Ａ〜Ｃ（図１では図示せず。図６参照）間でデジタルデータ信号等の伝送信号を双方向通信するＣＡＮバスであり、その信号ライン１ａ、１ｂの両終端がこのインピーダンスと同じ抵抗値、例えば１２０Ωの終端抵抗ｒ１、ｒ２で終端されている。【００３１】
電子機器Ａ〜Ｃは、例えば車両等において、燃焼エンジンの制御機器、検出機器、検索機器、記憶機器等であって車両電子制御システムを形成するものであり、入出力信号制御装置３ａは電子機器Ａにおいて機器本体５ａと伝送路１との間で伝送信号の入出力を制御するものである。【００３２】
後述する入出力信号制御装置３ｂ、３ｃは電子機器Ｂ、Ｃにおけるものであり、入出力信号制御装置３ａと同様の構成を有している。【００３３】
単位電源部ＰＷａは、後述する図５の主電源部２５からの直流電源を例えば５Ｖ程度に降圧する機能を有する公知の直流電源部である。【００３４】
単位電源部ＰＷａの高電位（５Ｖ）側に接続された端子Ｐａ１には、検出抵抗Ｒａ１を介して第１の切換部Ｑａ１を形成するＰチャンネルＦＥＴトランジスタのソース側が接続されており、そのトランジスタのドレインが保護ダイオードＤａ１を介して伝送路１の一方のライン１ａに順方向接続され、そのトランジスタのゲートには後述する送信部７ａの出力側が接続されている。【００３５】
伝送路１の他方のライン１ｂには保護ダイオードＤａ２を介して第２の切換部Ｑａ２を形成するＮチャンネルＦＥＴトランジスタのドレインが順方向接続され、そのトランジスタのソースが検出抵抗Ｒａ２を介して端子Ｐａ２に接続されており、端子Ｐａ２が単位電源部ＰＷａの低電位側（０Ｖ：共通電位）に接続されており、トランジスタのゲートには送信部７ａの出力側が接続されている。【００３６】
送信部７ａは、上述した機器本体５ａから送信する伝送信号を入力して第１および第２の切換部Ｑａ１、Ｑａ２を同時にオンオフ（ＯＮ／ＯＦＦ）して単位電源部ＰＷａからの供給電源（電源電流）を伝送路１に流し、伝送路１を「Ｈ」レベルにして伝送路１を「ドミナント状態」にするドライバ回路である。【００３７】
なお、伝送路１に電源電流を流さない「Ｌ」レベルが「リセッシブ」状態である。【００３８】
伝送路１のライン１ａ、１ｂには受信部９ａが接続されており、受信部９ａは伝送路１の「Ｈ」レベルを入力し、増幅等して選択部１５ａに出力する機能を有している。すなわち、受信部９ａは伝送路１の「ドミナント状態」をそのまま検出して出力するものである。【００３９】
検出抵抗Ｒａ１と第１の切換部Ｑａ１との接続点には比較部１１ａが接続されており、検出抵抗Ｒａ１と比較部１１ａによって第１の検出部１３ａが形成されている。【００４０】
比較部１１ａは、検出抵抗Ｒａ１の両端電圧ｖと予め設定された基準電圧Ｖとを比較し、両端電圧ｖが基準電圧Ｖを超えているとき、送信部７ａのみによる伝送路１の「ドミナント状態」を検出するものであり、その検出によって制御信号Ｓ１を選択部１５ａに出力し、この選択部１５ａを制御する機能を有している。【００４１】
第２の切換部Ｑａ２と検出抵抗Ｒａ２との接続点には比較部１７ａが接続されており、検出抵抗Ｒａ２と比較部１７ａによって第２の検出部１９ａが形成されている。【００４２】
比較部１７ａは、比較部１１ａと同様に、検出抵抗Ｒａ２の両端電圧ｖと予め設定された基準電圧Ｖとを比較し、両端電圧ｖが基準電圧Ｖを超えているとき、送信部７ａのみによる伝送路１の「ドミナント状態」を検出するものであり、その検出によって制御信号Ｓ２を選択部１５ａに出力し、この選択部１５ａを制御する機能を有している。【００４３】
選択部１５ａは、第１および第２の検出部１３ａ、１９ａから制御信号Ｓ１、Ｓ２が入力されたとき、送信部７ａのみによる伝送路１の「ドミナント状態」を検出し、受信部９ａとの接続を開放し、受信部９ａからの出力信号の機器本体５への出力を遮断する機能を有する。【００４４】
他方、選択部１５ａは、第１および第２の検出部１３ａ、１９ａ双方から制御信号Ｓ１、Ｓ２から入力されないとき、伝送路１の「リセッシブ状態」を検出して受信部９ａとの接続を選択し、受信部９ａからの出力信号の機器本体５への出力を確保する機能を有している。すなわち、選択部１５ａは、第１および第２の検出部１３ａ、１９ａの何れか一方の制御信号Ｓ１、Ｓ２が入力されても、伝送路１が「リセッシブ状態」であると判別する機能を有している。【００４５】
なお、送信部７ａ、受信部９ａ、比較部１１ａ、１７ａおよび選択部１５ａは、単位電源部ＰＷａの電源電力によって動作するものである。【００４６】
次に、図１の入出力信号制御装置３ａの動作を説明する。【００４７】
電子機器Ａの機器本体５ａから伝送信号が送信部７ａに出力されると、送信部７ａが伝送信号に基づき第１および第２の切換部Ｑａ１、Ｑａ２をオン／オフ（ＯＮ／ＯＦＦ）動作し、例えば図２Ａのように、単位電源部ＰＷａからパルス電流が端子Ｐａ１、検出抵抗Ｒａ１、第１の切換部Ｑａ１、保護ダイオードＤａ１を介して伝送路１側に流れるとともに、伝送路１側からそのパルス電流が保護ダイオードＤａ２、第２の切換部Ｑａ２、検出抵抗Ｒａ２を介して端子Ｐａ２に流れ、伝送信号が伝送路１側へ送信され、伝送路１が「Ｈ」レベルとなって「ドミナント状態」になる。【００４８】
伝送路１が「ドミナント状態」になったことにより、他の電子機器Ｂ、Ｃにおいて電子機器Ａからの伝送信号が取り込まれる。なお、伝送信号が電子機器Ａ〜Ｃの何れに宛てたものかは、例えば電子機器Ａ〜Ｃのアドレスや識別符号を伝送信号に付せば良い。【００４９】
このとき、電子機器Ａのみが伝送路１を「ドミナント状態」にした場合、電子機器Ａによって伝送路１に流れる電源電流は、検出抵抗Ｒａ１、両端の終端抵抗ｒ１、ｒ２を介して検出抵抗Ｒａ２を流れ、検出抵抗Ｒａ１、Ｒａ２の両端に大きな電位差が生じる。【００５０】
そのため、比較部１１ａ、１７ａにおいて、検出抵抗Ｒａ１、Ｒａ２の双方の両端電圧ｖが基準電圧Ｖを超えるようにその基準電圧Ｖを設定すれば、検出抵抗Ｒａ１、Ｒａ２の両端電圧ｖが比較部１１ａ、１７ａに加えられて基準電圧Ｖと比較され、第１および第２の検出部１３ａ、１９ａが送信部７ａからの伝送信号出力を検出して制御信号Ｓ１、Ｓ２を選択部１５ａへ出力し、選択部１５ａが受信部９ａとの接続を開放制御する。【００５１】
他方、第１および第２の切換部Ｑａ１、Ｑａ２がオフ（ＯＦＦ）動作している状態では、検出抵抗Ｒａ１、Ｒａ２の両端電圧ｖが０Ｖになり、比較部１１ａ、１７ａから制御信号Ｓ１、Ｓ２が出力されず、選択部１５ａが受信部９ａとの接続を確保するから、伝送路１から受信部９ａに入力される伝送信号が選択部１５ａを介して機器本体５へ出力される。【００５２】
さらに、他の電子機器Ｂ又はＣによって伝送路１が「ドミナント状態」にある状態において、電子機器Ａの第１および第２の切換部Ｑａ１、Ｑａ２がオン（ＯＮ）動作している状態では、検出抵抗Ｒａ１、Ｒａ２にも電源電流が流れて両端に電位差が生じる。【００５３】
しかし、電子機器Ａのみの第１および第２の切換部Ｑａ１、Ｑａ２がオン（ＯＮ）動作しているときに比べて、検出抵抗Ｒａ１、Ｒａ２双方の両端電位差が基準電圧Ｖより小さく、比較部１１ａ、１７ａから制御信号Ｓ１、Ｓ２が出力されず、選択部１５ａが受信部９ａとの接続を確保するから、伝送路１から受信部９ａに入力された伝送信号が選択部１５ａを介して機器本体５ａに出力される。【００５４】
すなわち、電子機器Ａを含めた電子機器Ｂ、Ｃの複数が「ドミナント状態」となっても、終端抵抗ｒ１、ｒ２に流れる電流の１／２ずつが電子機器Ａ自身および他の電子機器Ｂ又はＣに流れることになり、検出抵抗Ｒａ１、Ｒａ２で発生する電圧降下も小さくなる。【００５５】
なお、電子機器Ａを含めた電子機器Ｂ、Ｃによって伝送路１が「ドミナント状態」となったとき、いずれの電子機器Ａ〜Ｃによって伝送路１が「ドミナント状態」となったのかは、例えば機器本体５ａ側において、自機から出力する伝送信号に基づき区別可能である。【００５６】
図３は、電子機器Ａを自機とし、電子機器Ｂ、Ｃを他機とした場合、自機が伝送路１を「ドミナント状態」および「リセッシブ状態」にした「自機ドミナント」および「自機リセッシブ」と、他機が伝送路１を「ドミナント状態」および「リセッシブ状態」にした「他機ドミナント」および「他機リセッシブ」において、検出抵抗Ｒａ１、Ｒａ２の両端電圧ｖ（ｖ１＞ｖ２＞ｖ３）の変化を示すものである。【００５７】
このように、本発明に係る入出力信号制御装置３ａは、両端に終端抵抗ｒ１、ｒ２の接続された２線式伝送路１側に伝送信号を出力する送信部７ａと、単位電源部ＰＷａの高電位側と伝送路１の一方の線路１ａとの間に接続された第１の切換部Ｑａ１であって、その送信部７ａからの伝送信号で単位電源部ＰＷａからの供給電源をオンオフ切換えて伝送信号を伝送路に対し出力する第１の切換部Ｑａ１と、その伝送路１の他方の線路１ｂと単位電源部ＰＷａの低電位側との間に接続された第２の切換部Ｑａ２であって、その送信部７ａからの伝送信号でその第１の切換部Ｑａ１と同時にオンオフ切換えて伝送信号を伝送路１から出力する第２の切換部Ｑａ２と、その伝送路１からの伝送信号を受信する受信部９ａと、その単位電源部ＰＷａの高電位側と伝送路１の一方の線路との間に接続され、その第１の切換部Ｑａ１を流れる送信部７ａからの伝送信号の出力を検出する第１の検出部１３ａと、その伝送路１の他方の線路と単位電源部ＰＷａとの低電位側と間に接続され、その第２の切換部Ｑａ２を流れる送信部７ａからの伝送信号の出力を検出する第２の検出部Ｑａ２と、それら第１および第２の検出部１３ａ、１９ａの何れにおいても送信部７ａからの伝送信号の出力が検出されないときその受信部９ａを選択する選択部１５ａと、を具備している。【００５８】
そのため、その送信部７ａから伝送信号が出力される状態の検出抵抗Ｒａ１、Ｒａ２の両端電圧が、予め設定された電圧より高いとき、選択部１５ａがその受信部９ａを選択せず、検出抵抗Ｒａ１、Ｒａ２の両端電圧が低いとき、選択部１５ａがその受信部９ａを選択するから、自機の電子機器Ａのみが伝送路１に伝送信号を出力して「ドミナント状態」にするとき、それを検出してその伝送信号を受信部９ａから出力させ難くなり、電子機器Ａの誤作動が防止される。【００５９】
しかも、それら第１および第２の切換部Ｑａ１、Ｑａ２を流れる送信部７ａからの伝送信号出力を検出抵抗Ｒａ１、Ｒａ２で検出するから、第１および第２の検出部１３ａ、１９ａの構成を簡素化可能である。【００６０】
もっとも、本発明の入出力信号制御装置において、上記選択部１５ａが、その送信部７ａから伝送信号が出力される状態の検出抵抗Ｒａ１、Ｒａ２の両端電圧であって最も高いとき、その受信部９ａを選択するよう選択部１５ａを制御する構成では、自機の電子機器のみが伝送路１を「ドミナント状態」にしている状態の検出が容易である。【００６１】
さらに、電子機器Ａのみドミナント状態のときに最も大きな電圧降下が発生するから、比較部１１ａの基準電圧Ｖが、その電圧値を下回る値に設定されていれば、設定を越えたときのみ選択部１５ａを制御し、受信部９ａからの出力を確実に抑えることができる。【００６２】
そして、上述した第１および第２の検出部１３ａ、１９ａは、検出抵抗Ｒａ１、Ｒａ２および比較部１１ａ、１７ａからなる構成に限定されないが、その単位電源部ＰＷａと第１および第２の切換部Ｑａ１、Ｑａ２との間に直列接続された検出抵抗Ｒａ１、Ｒａ２を有し、検出抵抗Ｒａ１、Ｒａ２の発生両端電圧の大小に基づき選択部１５ａを制御して受信部９ａとの接続を開放（遮断）する構成では、検出部の構成が簡素化される利点がある。【００６３】
ところで、上述した本発明の入出力信号制御装置３ａでは、伝送路１が有線伝送路である構成を説明した。しかし、本発明の入出力信号制御装置３ａでは、無線伝送路が接続された伝送路１においても実施可能である。【００６４】
図４は、有線伝送路１どうしを無線伝送路としてのリモートカップラ装置２１、２３で接続した構成を示すものである。【００６５】
リモートカップラ装置２１、２３は同一の構成を有し、図示はしないが、変調部、共振部、復調部を有して形成され、伝送路１に接続されている。リモートカップラ装置２１、２３はそれ以外にも構成要素、例えば単位電源部等を有するが、本発明の要部ではないから説明および図示を省略する。【００６６】
リモートカップラ装置２１、２３は、変調部で例えば１００ＭＨｚの高周波信号を発振するとともに、この高周波信号を伝送信号（パルス信号）で変調し、共振部にて外部（リモートカップラ装置２１、２３）に放射する機能を有している。変調された高周波信号は、例えば図３Ｂに示すようになる（なお、同図Ｂは誇張して図示されている。）。【００６７】
リモートカップラ装置２１、２３は、共振部にて外部のリモートカップラ装置２１、２３から放射された変調高周波信号に共振して高周波信号を誘起し、復調部にて高周波信号を復調して伝送信号（パルス信号）を出力する機能を有している。【００６８】
このように、本発明の入出力信号制御装置３ａは、他の無線伝送路に接続された有線伝送路１においても実施可能であり、広い利用範囲で実施可能で、上述した効果を得ることが可能である。【００６９】
次に、上述した入出力信号制御装置３ａ、３ｂ、３ｃを用いた入出力信号制御システムの実施の一形態を説明する。【００７０】
図５において、入出力信号制御装置３ａは図１に示した構成を有し、入出力信号制御装置３ｂは、入出力信号制御装置３ａにおける単位電源部ＰＷａ、検出抵抗Ｒａ１、Ｒａ２、第１、第２の切換部Ｑａ１、Ｑａ２、保護ダイオードＤａ１、Ｄａ２、送信部７ａ、受信部９ａ、比較部１１ａ、１７ａ、第１、第２の検出部１３ａ、１９ａおよび選択部１５ａと同様の構成を有している。【００７１】
すなわち、入出力信号制御装置３ｂは、入出力信号制御装置３ａと同様な単位電源部ＰＷｂ、検出抵抗Ｒｂ１、Ｒｂ２、第１、第２の切換部Ｑｂ１、Ｑｂ２、保護ダイオードＤｂ１、Ｄｂ２、送信部７ｂ、受信部９ｂ、比較部１１ｂ、１７ｂ、第１、第２の検出部１３ｂ、１９ｂおよび選択部１５ｂとを有し、同様の回路構成になっている。【００７２】
なお、図５において、第１、第２の検出部１３ａ、１９ａ、１３ｂ、１９ｂは示されていないし、同図中の符号Ｄａ３、Ｄｂ３は端子Ｐａ２、Ｐｂ２と後述する主電源ライン２７ｂの間に挿入されたショットキーダイオードであり、逆接続保護用のものである。【００７３】
入出力信号制御装置３ｃについても入出力信号制御装置３ａ、３ｂと同様であるので、その詳細な図示を省略する。【００７４】
入出力信号制御装置３ａ、３ｂは、主電源部２１から延びる主電源ライン２７ａ、２７ｂに単位電源部ＰＷａ、ＰＷｂを接続して動作するようになっている。入出力信号制御装置３ｃについても同様である。【００７５】
主電源部２５は、１００Ｖの商用交流電源を例えば２４Ｖ程度の直流電圧に変換し、主電源ライン２７ａで＋２４Ｖ（Ｖ＋)を、主電源ライン２７ｂで−２４Ｖ（Ｖ−)を供給するものであり、電源電流（負荷電流）が主電源ライン２７ａ、入出力信号制御装置３ａ〜３ｃ、主電源ライン２７ｂを介して流れる。【００７６】
入出力信号制御装置３ａ〜３ｃは、主電源ライン２７ａ、２３ｂに間隔を置いて分散して並列接続されており、主電源ライン２７ａ、２７ｂが有する内部抵抗ｒ３、ｒ４を介して主電源部２５に接続された負荷として機能する。【００７７】
すなわち、図５では、入出力信号制御装置３ａが主電源部２５に最も近い位置で接続され、他の入出力信号制御装置３ｂ、３ｃは内部抵抗ｒ３、ｒ４を介して主電源部２５に分散して接続された状態になっている。【００７８】
次に、本発明に係る入出力信号制御システムの動作を説明する。【００７９】
図５において、入出力信号制御装置３ａ〜３ｃは、これに電源電流が流れると、主電源ライン２７ａ、２７ｂの内部抵抗ｒ３、ｒ４によって電圧降下が発生するから、入出力信号制御装置３ｂ、３ｃの動作により、低電位側の端子Ｐｂ２（０Ｖ）の電位が、入出力信号制御装置３ａの低電位側の端子Ｐａ２（０Ｖ）の電位よりも内部抵抗ｒ４の電圧降下分だけ高くなる。【００８０】
そのため、上述したように、入出力信号制御装置３ａ、３ｂの高電位側の端子Ｐａ１とＰｂ２では電位が互いに異なり、その電位差が大きくなった場合、端子Ｐｂ２側の検出抵抗Ｒａ２、Ｒｂ２のみ又は高電位側の検出抵抗Ｒａ１、Ｒｂ１のみでは、自身のみドミナント状態になっていることが正しく検出できなく可能性が高くなる。【００８１】
すなわち、入出力信号制御装置３ａ、３ｂ双方がドミナント状態になっている場合でも、入出力信号制御装置３ｂの端子Ｐｂ２の電位が高いため、入出力信号制御装置３ｂの検出抵抗Ｒｂ２に流れる電流よりも入出力信号制御装置３ａの検出抵抗Ｒａ２に流れる電流の方が大きくなる。【００８２】
この電流差が大きい分、検出抵抗Ｒａ２での電圧降下が大きくなり、比較値を超えると、入出力信号制御装置３ａ自身のみドミナント状態と誤認識し易くなる。【００８３】
さらに、入出力信号制御装置３ｂの端子Ｐｂ２の電位が高いため、同装置３ｂの高電位側の端子Ｐｂ１の電位も高くなる。【００８４】
そのため、入出力信号制御装置３ａの検出抵抗Ｒａ１に流れる電流より、入出力信号制御装置３ｂの検出抵抗Ｒｂ１に流れる電流の方が大きくなる。この電流差が大きい分、検出抵抗Ｒｂ１での電圧降下が大きくなり、比較値を超えると、入出力信号制御装置３ｂ自身のみドミナント状態と誤認識し易くなる。【００８５】
なお、主電源部２５に負荷として接続する入出力信号制御装置３ａ、３ｂの接続位置が逆転した場合、逆の動作になる。【００８６】
このような状態は、入出力信号制御装置３ａ、３ｂのどちらか一方のみ、換言すれば、１つの装置のみドミナント状態の場合、そのドミナント状態になっている装置において、検出抵抗Ｒａ１（Ｒｂ１）およびＲａ２（Ｒｂ２）の両方とも自身のみドミナント状態になっていれば、誤認識を防ぐことが可能である。【００８７】
そのため、上述した入出力信号制御装置３ａ、３ｂにあって自身のみドミナント状態となった場合のみ、自身のみドミナント状態と判断するようにすれば、正しく検出することが可能である。【００８８】
従って、上述したように、個々の入出力信号制御装置３ａ〜３ｃでは、選択部１５ａ、１５ｂが、両比較部１１ａと１７ａ、１１ｂと１７ｂで検出結果のＡＮＤ条件が揃ったとき、受信部９ａ、９ｂを選択するから、ドミナント状態の正しい検出を確保可能にしている。【００８９】
このように、本発明の入出力信号制御システムでは、個々の入出力信号制御装置３ａ〜３ｃが主電源部２５から延びる主電源ライン２７ａ、２７ｂに並列的に接続されて構成された場合、主電源ライン２７ａ、２７ｂに無視できない内部抵抗があって、電源動作中に主電源ラインで電圧降下が発生しても、誤動作の発生を抑えることが容易である。【００９０】
特に、個々の入出力信号制御装置３ａ〜３ｃが主電源ライン２７ａ、２７ｂに間隔を置いて分散して並列的に接続された構成において、有用である。【００９１】
なお、上述した本発明の入出力信号制御装置３ａ〜３ｃは、個々の単位電源部ＰＷａ、ＰＷｂが主電源部２５からの主電源に基づき電源を供給する構成であり、主電源部２５からの主電源２４Ｖより低い電源５Ｖで内部動作させている。
【図面の簡単な説明】
【００９２】
【図１】本発明に係る入出力信号制御装置の実施の形態を示すブロック図である。
【図２】本発明に係る入出力信号制御装置の動作を説明する図である。
【図３】本発明に係る入出力信号制御装置の動作を説明する図である。
【図４】本発明に係る入出力信号制御装置の他の構成を説明するための電子制御システムを示すブロック図である。
【図５】本発明に係る入出力信号制御システムの実施の形態を示すブロック図である。
【図６】本発明の参考となる電子制御システムおよび電子機器を示すブロック図である。
【図７】図６における従来の入出力信号制御装置を示すブロック図である。
【符号の説明】
【００９３】
１  伝送路（ＣＡＮバス、有線伝送路）
１ａ、１ｂ  ライン
３、３ａ、３ｂ、３ｃ  入出力信号制御装置（負荷）
５、５ａ、５ｂ、５ｃ  機器本体
７、７ａ、７ｂ  送信部
９、９ａ、９ｂ  受信部
１１ａ、１１ｂ、１７ａ、１７ｂ  比較部（検出部）
１３ａ  第１の検出部
１５ａ、１５ｂ  選択部
１９ａ  第２の検出部
２１、２３  リモートカップラ装置（無線伝送路）
２５  主電源部
２７ａ、２７ｂ  主電源ライン
Ａ、Ｂ、Ｃ  電子機器
Ｄ１、Ｄ２、Ｄａ１、Ｄａ２、Ｄａ３、Ｄｂ１、Ｄｂ２、Ｄｂ３  ダイオード
Ｐ１、Ｐ２、Ｐａ１、Ｐａ２  端子
ＰＷａ、ＰＷｂ  単位電源部
Ｑ１、Ｑ２  切換部
Ｑａ１、Ｑａ２  第１の切換部
Ｑａ２、Ｑｂ２  第２の切換部
Ｒａ１、Ｒａ２、Ｒｂ１、Ｒｂ２  検出抵抗（検出部）
ｒ１、ｒ２  終端抵抗
【図１】
2010109590.tif 000003
【図２】
2010109590.tif 000004
【図３】
2010109590.tif 000005
【図４】
2010109590.tif 000006
【図５】
2010109590.tif 000007
【図６】
2010109590.tif 000008
【図７】
2010109590.tif 000009
【国際調査報告】
2010109590.tif 000010
2010109590.tif 000011
2010109590.tif 000012
2010109590.tif 000013